(57)【特許請求の範囲】
【請求項１】
フロントケース、フロントシールドケース、電子回路基板、リアシールドケース、リアケースの順に収納される電子機器の筐体構造に於いて、前記フロントケースに螺子孔付き螺子止め用ボスを設け、前記フロントシールドケースに螺子用通孔付きのフランジを複数箇所以上外周部に設け、前記リアケースに前記螺子止め用ボスと同心に螺子止め用中空ボスを設け、前記リアシールドケースに前記螺子止め用中空ボスを避ける様に凹部を設け、前記フランジの孔を遊貫する螺子により前記フロントシールドケース、前記電子回路基板、前記リアシールドケース、前記リアケースが前記フロントケースに固定されたことを特徴とする電子機器の筐体構造。
【発明の詳細な説明】
【０００１】
【発明の属する技術分野】
本発明は携帯移動局装置等のシールドケースを具備する携帯用電子機器に於ける筐体構造に関するものである。
【０００２】
【従来の技術】
携帯移動局装置に於いて、基板ユニットの一種である電子回路基板ユニットはシールドケースにより包囲されて電波が遮断され、該シールドケースは外ケースに収納されている。
【０００３】
従来の携帯移動局装置を図８〜図１２に於いて説明する。
【０００４】
電子回路基板ユニット１は基板ユニットの一種で細長の矩形状であり、前記電子回路基板ユニット１は制御部ユニットと無線部ユニットとを有し、前記制御部ユニットと前記無線部ユニットとは基板間コネクタにより接続されている（いずれも図示せず）。
【０００５】
シールドケース２は上下に分割されてフロントシールドケース３とリアシールドケース４とから成り、前記フロントシールドケース３と前記リアシールドケース４とは合体された状態で扁平且つ細長の直方体となる。前記リアシールドケース４にはアンテナ支持部１１が形成され、前記フロントシールドケース３は周壁３ａを有し、前記リアシールドケース４は周壁４ａを有している。該周壁４ａの先端部内側に段差部６が設けられ、該段差部６に前記電子回路基板ユニット１が嵌合され、前記リアシールドケース４と前記フロントシールドケース３とが合体され、前記リアシールドケース４と前記フロントシールドケース３とが周縁部の所要箇所で螺子止めされている。前記電子回路基板ユニット１は前記周壁３ａと前記周壁４ａとの間に挾持されている。
【０００６】
前記フロントシールドケース３及び前記リアシールドケース４は両側中央部に嵌合用凹部７，７が凹設されている。前記フロントシールドケース３及び前記リアシールドケース４はアルミ合金等の金属によりモールド成形されている。
【０００７】
外ケース８は上下に分割されてフロントケース９とリアケース１０とから成り、該リアケース１０の背面側に電源用バッテリ１２が着脱可能に装着され、前記リアケース１０は外側にアンテナ保持部１３を有し、前記リアケース１０の周縁内側所要位置に螺子止め用ボス１４が６箇所突設され、該螺子止め用ボス１４に通孔１５が穿設されている。前記アンテナ保持部１３には前記アンテナ支持部１１が嵌入し、前記アンテナ保持部１３を挿通したアンテナ（図示せず）が前記アンテナ支持部１１に支持される様になっている。
【０００８】
前記フロントケース９はコーナー部４箇所に螺子止め用ボス１６を有すると共に両側中央部に螺子止め用ボス１７，１７を有し、前記螺子止用ボス１６，１７に螺子孔１８，１９が前記通孔１５と同心に穿設され、更に必要に応じ各種の操作用ボタン孔２０が前面及び側面に穿設されている。前記フロントケース９及び前記リアケース１０は合成樹脂により射出成形されている。
【０００９】
前記フロントケース９の内部に前記シールドケース２が収納され、前記螺子止用ボス１７，１７の外周面に前記嵌合用凹部７，７が嵌合し、前記シールドケース２が位置決めされる。
【００１０】
前記電子回路基板ユニット１に表示部、操作部、アンテナ等の各種部品（いずれも図示せず）が電気的に接続され、前記フロントケース９に前記リアケース１０が装着され、前記通孔１５を挿通した螺子２９を前記螺子孔１８，１９に螺着することにより前記リアケース１０が前記フロントケース９に固着される。
【００１１】
【発明が解決しようとする課題】
前記シールドケース２は前記嵌合用凹部７，７と前記螺子止め用ボス１７，１７の外周面２箇所との嵌合により位置決めされ、前記電子回路基板ユニット１と前記外ケース８との位置決めが行われているが、該外ケース８を構成する前記フロントケース９及び前記リアケース１０は合成樹脂により射出成形される為、前記フロントケース９及び前記リアケース１０には射出成形用金型から容易に外れる様にテーパが設けられている。
【００１２】
前記フロントケース９は射出成形時の高温状態から常温に戻る迄の収縮誤差や前記射出成形用金型毎の寸法差等により、前記螺子止め用ボス１７，１７の外周面のテーパには微妙なバラツキが生じる。又、前記嵌合用凹部７，７についても同様の誤差があり、前記螺子止め用ボス１７，１７と前記嵌合用凹部７，７とを嵌合させた場合に、遊びが大きいと前記シールドケース２がガタついてしまう。又、前記螺子止用ボス１７，１７と前記嵌合用凹部７，７との間で遊びが少ないと、前記シールドケース２が前記フロントケース９内に十分な深さ迄収納されず、前記シールドケース２が浮上がり、前記アンテナ支持部１１とアンテナ保持部１３との位置合わせが充分でなくなる等、前記回路基板ユニット１、表示部、操作部、アンテナ等の各種部品の実装ができなくなる。
【００１３】
上述した様に、前記螺子止め用ボス１７，１７の外周面のテーパにより前記シールドケース２の位置決めをしている為、前記電子回路基板ユニット１及びシールドケース２の前後左右の位置調整をする場合に、前記螺子止め用ボス１７，１７のボス径や形状、前記嵌合用凹部７，７の位置、形状を調整することになるが、前記シールドケース２、前記フロントケース９用の射出成形用金型を修正するには多額の費用が発生し、前記電子回路基板ユニット１の位置を自由に調整することが困難であった。
【００１４】
更に、前記シールドケース２は前記フロントケース９及び前記リアケース１０内に前記嵌合用凹部７，７と前記螺子止用ボス１７，１７との嵌合により、２箇所で支持されるだけなので、落下時に前記電子回路基板ユニット１及び前記シールドケース２に衝撃が集中して伝達され、基板間コネクタ或はその他の電気的接続部が損傷する可能性もあった。
【００１５】
本発明は斯かる実情に鑑み、基板ユニットの位置決め精度を高めると共に位置決め調整を可能にし、又落下時に生ずる衝撃を軽減するものである。
【００１６】
【課題を解決するための手段】
本発明は、シールドケースが外ケースに収納される電子機器の筐体構造に於いて、前記シールドケースの外周部にフランジが複数箇所以上設けられ、該フランジの孔を遊貫する螺子によりシールドケースが前記外ケースに固定された電子機器の筐体構造に係るものである。
【００１７】
基板ユニットを包囲したシールドケースは外周部のフランジに於いて螺子により外ケースに固定される為、前記基板ユニットの位置決め精度が向上する。
【００１８】
前記フランジの孔の孔径が前記螺子の径よりも大きい分前記シールドケースの位置決め調整が可能になり、位置決め調整が容易になる。
【００１９】
落下時の衝撃は２箇所以上のフランジにより支持されるので、前記基板ユニットに及ぼされる落下時の衝撃は緩和される。
【００２０】
前記螺子が二つ割の外ケースの固定用螺子を兼ねれば、部品数が節減され、組立て工数も減少する。
【００２１】
【発明の実施の形態】
以下、図面を参照しつつ本発明の実施の形態を説明する。
【００２２】
図１〜図７に於いて本発明の実施の形態を携帯移動局装置を例として説明する。
【００２３】
尚、図１〜図７中、図８〜図１２中に示したものと同等のものには同符号を付してある。
【００２４】
外ケース８は上下に分割されてフロントケース９とリアケース１０とから成り、前記フロントケース９はコーナー部４箇所に螺子止め用ボス２１を有すると共に両側中央部に螺子止め用ボス２２を有し、前記螺子止用ボス２１，２２に螺子孔２３が穿設されている。更に必要に応じ各種の操作用ボタン孔２０が前記フロントケース９の前面及び側面に穿設されている。
【００２５】
電子回路基板ユニット１は基板ユニットの一種であり、制御部ユニットと無線部ユニットとを有し、前記制御部ユニットと無線部ユニットとは基板間コネクタにより接続されている（いずれも図示せず）。
【００２６】
シールドケース２は上下に分割されてフロントシールドケース３とリアシールドケース４とから成り、前記フロントシールドケース３と前記リアシールドケース４とは合体された状態で扁平且つ細長の中空直方体状となる。前記リアシールドケース４にはアンテナ支持部１１が形成され、前記リアシールドケース４は周壁４ａを有し、該周壁４ａの先端部内側に段差部６が設けられ、該段差部６に前記電子回路基板ユニット１が嵌合され、前記リアシールドケース４と前記フロントシールドケース３とが合体され、前記リアシールドケース４と前記フロントシールドケース３とが周縁部所要箇所で螺子止めされている。前記電子回路基板ユニット１は前記フロントシールドケース３と前記リアシールドケース４との間に挾持されている。
【００２７】
前記フロントシールドケース３のコーナー部４箇所及び両側中央部に凹部３０が形成されると共に該凹部３０にフランジ２４が突設され、該フランジ２４に螺子用通孔２５が穿設されている。前記フランジ２４は前記螺子止め用ボス２１，２２の頂面に夫々重なる様に位置しており、前記螺子用通孔２５の孔径は前記螺子孔２３の孔径よりも充分大きく定められている。
【００２８】
前記フロントシールドケース３は表示部、操作部等との電気的接続を行う為に各種の孔（いずれも図示せず）が穿設されている。前記フロントシールドケース３及び前記リアシールドケース４はアルミ合金等の金属によりモールド成形されている。
【００２９】
前記リアケース１０の背面側に電源用バッテリ１２が着脱可能に装着され、前記リアケース１０はアンテナ保持部１３を有し、前記リアケース１０の内側周縁所要位置に螺子止め用中空ボス２６が所要箇所（図示では６箇所）突設され、該螺子止め用中空ボス２６の背面側には螺子用凹部２７が形成され、前記螺子止め用中空ボス２６の頂部に通孔２８が前記螺子孔２３と同心に穿設されている。
【００３０】
前記リアケース１０が前記フロントケース９に嵌合され、前記螺子止め用中空ボス２６の頂面が前記フランジ２４に当接され、前記螺子２９が前記螺子用凹部２７に挿入され、前記通孔２８及び螺子用通孔２５を順次貫通して螺子孔２３に螺合され、前記螺子２９により前記シールドケース２が前記６箇所のフランジ２４に於いて前記フロントケース９及び前記リアケース１０に固定される。前記フロントケース９及び前記リアケース１０は合成樹脂により射出成形される。
【００３１】
以下、作用について説明する。
【００３２】
電子回路基板ユニット１がリアシールドケース４の段差部６に嵌合され、前記リアシールドケース４にフロントシールドケース３が合体されて螺子止めされシールドケース２が組立られる。
【００３３】
フロントケース９内に前記シールドケース２が収納され、螺子止め用ボス２１，２２の頂面にフランジ２４が載置され、前記シールドケース２が必要に応じ前後左右に移動されて位置決め調整される。
【００３４】
前記電子回路基板ユニット１に表示部、操作部、アンテナ等の各種部品が電気的に接続され、前記フロントケース９に前記リアケース１０が装着され、螺子止め用中空ボス２６の頂面が前記フランジ２４に当接され、螺子２９が螺子用凹部２７に挿入され、通孔２８及び螺子用通孔２５を順次貫通し螺子孔２３に螺合され、前記電子回路基板ユニット１を挾込んだ前記シールドケース２が６箇所のフランジ２４により前記フロントケース９及び前記リアケース１０に固定される。
【００３５】
前記螺子２９により前記電子回路基板ユニット１を挾込んだシールドケース２の固定と、前記フロントケース９及び前記リアケース１０の固定とが同時に行われ、前記螺子２９を共用することができ且つ組立操作も兼ねられる。又、前記螺子２９の締付け時にアルミ合金製のフランジ２４も同時に締付けられるので、シールドケースが強度部材として機能し、合成樹脂部分の変形が防止される。
【００３６】
前記通孔２８及び螺子用通孔２５は螺子孔２３と同心に位置し、前記螺子用通孔２５の孔径が前記螺子孔２３の孔径よりも大きく設定されているので、前記電子回路基板ユニット１を挾込んだ前記シールドケース２の位置決め後も螺子止め可能であり、前記電子回路基板ユニット１の位置決め調整が容易に行えると共に、前記リアケース１０の装着も容易である。
【００３７】
従って、前記電子回路基板ユニット１、シールドケース２は前記螺子用通孔２５と螺子２９により位置決めされるので位置決め精度が安定し且つ向上する。更に、前記螺子用通孔２５の孔径を大きくすることにより、前記電子回路基板ユニット１の位置決め調整が容易になり且つ位置調整範囲が拡大し、シールドケースと外ケースとの相対位置合わせが正確となり、アンテナ等との位置合わせが容易に行える。
【００３８】
又、携帯移動局装置を誤って落下させた時の衝撃は、前記シールドケース２が６箇所のフランジ２４で固着されている為、衝撃時の荷重が分散され、前記シールドケース２に挾込まれた電子回路基板ユニット１への衝撃が緩和される。
【００３９】
尚、本発明の基板ユニットの取付け構造は、上述の実施の形態に於ける携帯移動局装置に限定されるものではなく、携帯用無線機等の携帯用電子機器にも適用でき、基板ユニットは電子回路基板ユニットに限らず一般の電気回路基板ユニットでもよく、フランジの数は２個以上であればよく、フランジ固定用の螺子は一部の螺子又は全部の螺子が外ケース固定用の螺子を兼ねてもよいことは勿論である。
【００４０】
【発明の効果】
以上述べた如く本発明によれば、基板ユニットを収納するシールドケースにフランジが設けられ、前記基板ユニット及び前記シールドケースが前記フランジに於いて外ケースに螺子により固定されるので、前記基板ユニットが確実に固定され、落下時の衝撃が前記フランジ及び前記螺子により均等に分散され、落下時の衝撃が緩和される。
【００４１】
前記螺子により、前記シールドケースが位置決めされるので前記基板ユニットの外ケースに対する位置決め精度が安定し且つ向上する。
【００４２】
前記通孔に前記螺子が遊貫されるので、前記通孔の径が前記螺子径より大きい分前記基板ユニットを前後左右に位置決め調整することができ、前記基板ユニットの位置決め調整が容易になり、アンテナ等との位置合わせも容易になる。
【００４３】
シールドケースを挾んで合成樹脂製の外ケースが螺子により締付けられるので、前記シールドケースにより外ケースが補強され、該外ケースが変形し難くなる。
【００４４】
前記フランジ固定用の螺子が外ケースの固定用螺子を兼ねれば、部品数が節減されると共に組立工数が減少する等種々の優れた効果を発揮する。
【図面の簡単な説明】
【図１】本発明の実施の形態を示す縦断面図である。
【図２】該実施の形態の横断面図である。
【図３】該実施の形態の底面図である。
【図４】前記実施の形態に於けるフロントケースの斜視図である。
【図５】該実施の形態に於けるリアケースの斜視図である。
【図６】該実施の形態に於けるフロントケースの斜視図である。
【図７】該実施の形態に於けるリアシールドケースの斜視図である。
【図８】従来例の横断面図である。
【図９】該従来例に於けるフロントケースの斜視図である。
【図１０】該従来例に於けるリアケースの斜視図である。
【図１１】該従来例に於けるフロントシールドケースの斜視図である。
【図１２】該従来例に於けるリアシールドケースの斜視図である。
【符号の説明】
１          電子回路基板ユニット
２          シールドケース
３          フロントシールドケース
４          リアシールドケース
８          外ケース
９          フロントケース
１０        リアケース
２１        螺子止め用ボス
２２        螺子止め用ボス
２３        螺子孔
２４        フランジ
２５        螺子用通孔
２６        螺子止め用中空ボス
２８        通孔
２９        螺子
【図１】
0004256044.tif 000002
【図２】
0004256044.tif 000003
【図３】
0004256044.tif 000004
【図４】
0004256044.tif 000005
【図５】
0004256044.tif 000006
【図６】
0004256044.tif 000007
【図７】
0004256044.tif 000008
【図８】
0004256044.tif 000009
【図９】
0004256044.tif 000010
【図１０】
0004256044.tif 000011
【図１１】
0004256044.tif 000012
【図１２】
0004256044.tif 000013